(57)【要約】【課題】図柄表示装置の裏側に必要となる前後方向の寸法を小さく抑えることができる遊技機を提供する。【解決手段】液晶パネル４３を収容するケース４４の右端縁部に、基板収容部４８が設けられる。基板収容部４８に内部画成した基板用空間Ｓ２に、矩形状のインバータ基板４９が、その板厚方向が前後方向と交差すると共に短手方向が前後方向に略沿う縦置き姿勢で収容される。ケース４４の裏面に、表示制御装置６１と統括制御装置６２とが左右方向に並んで取付けられる。基板収容部４８に収容されているインバータ基板４９は、液晶パネル４３が収容される表示用空間Ｓ１および表示制御装置６１や統括制御装置６２に対し、前後方向と交差する左右方向で重なっている。【選択図】図１０
2011104290.tif 000002
【特許請求の範囲】
【請求項１】
遊技球が流下可能な遊技領域が前側に設けられる遊技盤と、該遊技盤の裏側に配設され、各種図柄を可変表示可能な表示手段をケースに内部画成した表示用空間に収容して構成されて、該表示手段の表示部を遊技盤に設けた可視部に後方から臨ませた図柄表示装置とを備えた遊技機において、
前記ケースの縁部に、前記表示用空間に前後方向と交差する方向で一部が重なるように設けられた基板収容部と、
前記ケースの裏面に設けられ、基板を備える装置が設置される設置部とを備え、
前記基板収容部に、矩形状に形成された他の基板を、板厚方向が前後方向と交差すると共に短手方向が前後方向に略沿う縦置き姿勢で、前記表示用空間および前記設置部に設置された装置に前後方向と交差する方向で重なるように収容した
ことを特徴とする遊技機。
【請求項２】
前記ケースの前記設置部に、前記表示手段の表示を制御する基板を備える表示制御装置が取付けられると共に、該表示制御装置と前記基板収容部との間の設置部に、表示制御装置に演出用の制御信号を出力する基板を備える演出用制御装置が取付けられ、前記ケースの裏面には、少なくとも基板収容部が設けられる縁部から前記演出用制御装置の設置領域を越える位置までに亘って溝部が形成され、前記他の基板と表示制御装置とを電気的に接続する配線が該溝部内を引き回されるよう構成した請求項１記載の遊技機。
【請求項３】
前記基板収容部の内部に、前後方向に延在する固定板が配設され、該固定板には、前記他の基板における前端縁に係脱自在に係合する第１の係合部および後端縁に係脱自在に係合する第２の係合部が設けられ、各係合部によって固定板に係合保持された他の基板は、短手方向が前記表示手段に対して傾斜する姿勢となるよう構成した請求項１または２記載の遊技機。
【請求項４】
前記ケースにおける左右何れか一方の縁部には、該ケースを前記遊技盤に着脱自在に固定する一対の固定部が上下方向に離間して設けられ、両固定部の間のケース縁部に前記基板収容部が設けられる請求項１〜３の何れか一項に記載の遊技機。
【発明の詳細な説明】
【技術分野】
【０００１】
この発明は、図柄表示装置で図柄組み合わせゲームやリーチ演出等の遊技演出を行なう遊技機に関するものである。
【背景技術】
【０００２】
代表的な遊技機であるパチンコ機は、機内にセットされる遊技盤の盤面に画成した遊技領域の略中央位置に枠状の装飾部材が配設されて、該装飾部材の窓口から遊技盤の裏側に配設した液晶式やドラム式等の図柄表示装置を臨ませ、この図柄表示装置で図柄組み合わせゲームやリーチ演出等の遊技演出を行なうよう構成されている。またパチンコ機では、図柄表示装置における表示部の前側を移動する動作を行なう可動体を備えた演出装置を遊技盤に配設し、該可動体を前記図柄表示装置で行なわれる遊技演出に合わせて表示部の前側で動作させることにより、視覚的な演出効果を向上させ、遊技の興趣を増大するようにしたパチンコ機が知られている(例えば、特許文献１参照)。
【０００３】
一方、前記図柄表示装置の裏側には、該図柄表示装置の表示を制御する制御基板を備える表示制御装置や、図柄表示装置に電力を供給するインバータ基板を備えるインバータ装置、あるいは表示制御装置に演出用の制御信号を出力すると共にパチンコ機に配設される前記演出装置や発光装置等の各種電気部品を制御する制御基板を備える統括制御装置が配設されている。この場合に、図柄表示装置の裏側における制御装置等を配設し得る領域は限られているため、一部の制御装置等(例えば表示制御装置と統括制御装置)を前後に重ね合わせて配設している(例えば、特許文献２参照)。
【先行技術文献】
【特許文献】
【０００４】
【特許文献１】特開２００９−１１２８４８号公報
【特許文献２】特開２００７−２６００４４号公報
【発明の概要】
【発明が解決しようとする課題】
【０００５】
近年では、視覚的な演出効果を一層高めるために、複数の演出装置を遊技盤に配設する傾向にある。この場合に、インパクトのある演出を行なうべく可動体を大型化すると、複数の可動体が表示部の前側を移動する際に相互に干渉しないようするために、各可動体の移動経路を前後に離間するように配置する必要があり、表示部の前側に必要となる前後寸法が大きくなる。またパチンコ機では、前述したように図柄表示装置の裏側に複数の制御装置等が前後に重ね合わせて配設されているため、図柄表示装置の裏側に必要となる前後寸法も大きなものであった。
【０００６】
ここで、パチンコ機を遊技場(所謂ホール)に設置するに際しては、各パチンコ機の裏側を夫々対向する状態で設置台に取り付けるため、パチンコ機の裏側に突出し得る大きさは限られている。前述のように、図柄表示装置の裏側に複数の制御装置等を前後に重ね合わせて設置する構成では、図柄表示装置の裏側における前後方向の寸法が大きくなっているため、複数の演出装置を配設する構成を採用しようとすると、パチンコ機全体としての前後方向の奥行き寸法の更なる増大を招くため、図柄表示装置の裏側に配設した制御装置等が対向配置したパチンコ機と干渉してしまう畏れがある。すなわち、複数の演出装置を遊技盤に配設して、インパクトのある演出を行なうことが困難であるのが実状である。
【０００７】
すなわち本発明は、従来の技術に係る遊技機に内在する前記課題に鑑み、これを好適に解決するべく提案されたものであって、図柄表示装置の裏側に必要となる前後方向の寸法を小さく抑えることができる遊技機を提供することを目的とする。
【課題を解決するための手段】
【０００８】
前記課題を克服し、所期の目的を達成するため、本願の請求項１に係る発明は、
遊技球が流下可能な遊技領域(18a)が前側に設けられる遊技盤(17)と、該遊技盤(17)の裏側に配設され、各種図柄を可変表示可能な表示手段(43)をケース(44)に内部画成した表示用空間(S1)に収容して構成されて、該表示手段(43)の表示部を遊技盤(17)に設けた可視部(26a)に後方から臨ませた図柄表示装置(13)とを備えた遊技機において、
前記ケース(44)の縁部に、前記表示用空間(S1)に前後方向と交差する方向で一部が重なるように設けられた基板収容部(48)と、
前記ケース(44)の裏面に設けられ、基板を備える装置(61,62)が設置される設置部(60)とを備え、
前記基板収容部(48)に、矩形状に形成された他の基板(49)を、板厚方向が前後方向と交差すると共に短手方向が前後方向に略沿う縦置き姿勢で、前記表示用空間(S1)および前記設置部(60)に設置された装置(61,62)に前後方向と交差する方向で重なるように収容したことを特徴とする。
【０００９】
請求項１の発明によれば、表示手段を収容するケースの縁部に設けた基板収容部に、基板をケース内の表示用空間と前後方向と交差する方向に一部が重なる縦置き姿勢で収容するようにしたから、該基板をケース裏面に配設するための領域を削減でき、他の基板を備える装置をケースの裏面に前後に重ね合わせることなく並べて取付けることができ、図柄表示装置の裏側に必要となる前後方向の寸法を小さく抑えることができる。すなわち、図柄表示装置の裏側に必要となる前後方向の寸法を小さく抑えることができる分だけ、遊技機全体の前後寸法を変えることなく、図柄表示装置における表示部の前側に寸法的な余裕ができ、遊技盤に複数の演出装置を配設してインパクトのある演出を可能とし得る。
【００１０】
請求項２に係る発明では、前記ケース(44)の前記設置部(60)に、前記表示手段(43)の表示を制御する基板を備える表示制御装置(61)が取付けられると共に、該表示制御装置(61)と前記基板収容部(48)との間の設置部(60)に、表示制御装置(61)に演出用の制御信号を出力する基板を備える演出用制御装置(62)が取付けられ、前記ケース(44)の裏面には、少なくとも基板収容部(48)が設けられる縁部から前記演出用制御装置(62)の設置領域を越える位置までに亘って溝部(60a)が形成され、前記他の基板(49)と表示制御装置(61)とを電気的に接続する配線(63)が該溝部(60a)内を引き回されるよう構成したことを要旨とする。
請求項２の発明によれば、基板と表示制御装置とを電気的に接続する配線を溝部に収容することで、演出用制御装置をケース裏面に当接状態で取付けることができ、後方への突出寸法を抑制し得る。また、前記配線を引き回す領域を、複数の制御装置が取付けられる領域外に確保する必要がなく、ケースの裏面を有効に利用し得る。更に、演出用制御装置をケースに着脱する際に両側の基板収容部および表示制御装置で案内し得ると共に、配線を引っ掛けることも防止し得る。
【００１１】
請求項３に係る発明では、前記基板収容部(48)の内部に、前後方向に延在する固定板(52)が配設され、該固定板(52)には、前記他の基板(49)における前端縁に係脱自在に係合する第１の係合部(54a)および後端縁に係脱自在に係合する第２の係合部(53a)が設けられ、各係合部(54a,53a)によって固定板(52)に係合保持された他の基板(49)は、短手方向が前記表示手段(43)に対して傾斜する姿勢となるよう構成したことを要旨とする。
請求項３の発明によれば、固定板を介して基板を斜めに保持することで、基板収容部の後方への突出寸法を抑制することができ、図柄表示装置の裏側における前後方向の寸法をより小さく抑えることができる。
【００１２】
請求項４に係る発明では、前記ケース(44)における左右何れか一方の縁部には、該ケース(44)を前記遊技盤(17)に着脱自在に固定する一対の固定部(46b,46b)が上下方向に離間して設けられ、両固定部(46b,46b)の間のケース縁部に前記基板収容部(48)が設けられることを要旨とする。
請求項４の発明によれば、ケースを遊技盤に固定するために設けられる一対の固定部の間の領域を利用して基板収容部を設けることで、ケースの外側方への寸法の増大も抑制できる。
【発明の効果】
【００１３】
本発明に係る遊技機によれば、図柄表示装置の裏側における前後方向の寸法を小さく抑えることができ、図柄表示装置の表示部前側で可動体を移動する複数の演出装置を配設してインパクトのある演出を可能とし得る。
【図面の簡単な説明】
【００１４】
【図１】本発明の好適な実施例に係るパチンコ機を示す正面図である。
【図２】実施例に係る遊技盤を示す正面図である。
【図３】実施例に係る裏ユニットを、図柄表示装置を配設した状態で示す背面図である。
【図４】実施例に係る裏ユニットを、図柄表示装置を配設した状態で示す平面図である。
【図５】実施例に係る裏ユニットを、図柄表示装置を配設した状態で示す右平面図である。
【図６】実施例に係る裏ユニットを、図柄表示装置を取外した状態で示す背面図である。
【図７】実施例に係る裏ユニットを前側から視た状態で示す概略斜視図である。
【図８】実施例に係る図柄表示装置を示す背面図である。
【図９】実施例に係る図柄表示装置を示す分解斜視図である。
【図１０】実施例に係る図柄表示装置を示す横断平面図である。
【図１１】実施例に係る図柄表示装置における基板収容部の配設部位を、後ケース体を取外した状態で示す要部横断平面図である。
【図１２】実施例に係る図柄表示装置における基板収容部の配設部位を示す要部背面図である。
【図１３】実施例に係る基板収容部を構成する後ケース体に固定板を収容した状態で示す概略斜視図である。
【図１４】実施例に係る基板収容部を構成する後ケース体および固定板とインバータ基板を示す概略斜視図である。
【図１５】実施例に係る基板収容部を構成する固定板を示す底面図である。
【図１６】実施例に係る基板収容部を構成する後ケース体を示す底面図である。
【図１７】実施例に係る基板収容部を構成する後ケース体に固定板を収容した状態を、図８のＡ−Ａ線で示す横断面図である。
【図１８】実施例に係る基板収容部を構成する後ケース体に固定板を収容した状態を、図８のＢ−Ｂ線で示す横断面図である。
【発明を実施するための形態】
【００１５】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１６】
(パチンコ機について)
実施例に係るパチンコ機１０は、図１に示すように、矩形枠状に形成されて遊技店の図示しない設置枠台に固定される固定枠としての外枠１１の開口前面側に、後述する遊技盤１７(図２参照)が着脱可能に保持された本体枠としての中枠１２が開閉および着脱可能に組付けられて、該遊技盤１７の裏側に対して、各種図柄を変動表示可能な図柄表示装置１３が着脱し得るよう配設されている。また、前記中枠１２の前面側には、前記遊技盤１７を透視保護するガラス板を備えた装飾枠としての前枠１４が開閉可能に組付けられると共に、該前枠１４の下方にパチンコ球を貯留する下球受け皿１５が開閉可能に組付けられる。なお、実施例では、前記前枠１４の下部位置に、パチンコ球を貯留する上球受け皿１６が一体的に組付けられており、前枠１４の開閉に合わせて上球受け皿１６も一体的に開閉するよう構成される。
【００１７】
前記パチンコ機１０の裏側には、図示しないが、パチンコ機１０の電源制御を行なう電源装置、球払出し装置を駆動制御する払出し制御装置、打球発射装置を駆動制御する発射制御装置、外部端末に接続されるインターフェース基板等が配設されている。なお、これらの各装置は、前記遊技盤１７の裏側に配設される主制御装置(図示せず)に配線接続され、該主制御装置からの制御信号に基づいて所定の制御を実行するようになっている。
【００１８】
(遊技盤について)
前記中枠１２に配設される前記遊技盤１７は、図２または図３に示すように、前面(盤面)にパチンコ球が流下可能な遊技領域１８ａが画成され、アクリルやポリカーボネート等の光透過性の合成樹脂材からなる平板状の透明板(板部材)１８と、該透明板１８の裏面に組付けられて前記図柄表示装置１３が着脱可能に配設されると共に、何れも後述する可動演出装置３５,３６,３７(図７参照)や各種発光装置が配設される合成樹脂材で形成された裏ユニット１９とから構成され、該裏ユニット１９に形成された前後に開口する開口部１９ａを介して図柄表示装置１３の表示部を前面側から視認し得るよう構成されている。裏ユニット１９に形成される開口部１９ａは、図６,図７に示す如く、該裏ユニット１９の上下および左右幅の大部分が開口する大型の開口部である。ここで、前記透明板１８および裏ユニット１９は、外郭形状が略整合する大きさおよび形状に形成されて、該透明板１８と裏ユニット１９とを組付けた状態で透明板１８の裏面を裏ユニット１９で全面的に覆うよう構成される。
【００１９】
(透明板について)
図１または図２に示すように、前記透明板１８の前面には、円弧状に形成した案内レール２０が配設されると共に、該案内レール２０の右方位置に、左端縁が右方に凹む円弧状に形成した第１盤面飾り部材２１が配設されている。そして、前記案内レール２０および第１盤面飾り部材２１により前記遊技領域１８ａが略円形状に画成される。また、前記透明板１８の盤面には、前記案内レール２０の左方(遊技領域１８ａの外側)の上下位置に第２盤面飾り部材２２が夫々が配設されている。前記第１および第２盤面飾り部材２１,２２の夫々は、不透明な合成樹脂材から形成されており、透明板１８において該第１および第２盤面飾り部材２１,２２が配設された部分を除いた領域(すなわち遊技領域１８ａ)で裏側(裏ユニット１９)を視認し得るよう構成されている。すなわち、前記裏ユニット１９に配設される可動演出装置３５,３６,３７や各種発光装置等は、透明板１８を介して前側から視認し得るようになっている。なお、前記透明板１８の遊技領域１８ａ内には、多数の遊技釘(図示せず)が植設されており、該遊技領域１８ａを流下するパチンコ球は、遊技釘との接触により流下方向が不規則に変更させられるよう構成してある。
【００２０】
前記透明板１８には、後述する装飾部材２６の配設位置より下方位置に、前記遊技領域１８ａを流下するパチンコ球が入賞可能な始動入賞装置２３や特別入賞装置２４が配設されており、始動入賞装置２３の始動入賞口へのパチンコ球の入賞を契機として、所定数のパチンコ球が賞球として前記上下の球受け皿１５,１６に払い出されると共に前記図柄表示装置１３の表示部において図柄変動演出が開始され、該図柄変動演出の結果、図柄表示装置１３の表示部に所定の図柄組み合わせ(例えば同一図柄の三つ揃い等)で図柄が停止表示されることで所謂「大当り」が発生し、これにより特別入賞装置２４へのパチンコ球の入賞が許容されて多数の賞球を獲得し得るようになっている。なお、透明板１８には、特別入賞装置２４の左右両側に普通入賞装置２５が夫々が配設されている。
【００２１】
(装飾部材について)
前記透明板１８には、前後に貫通する貫通孔が形成されており、該貫通孔に対して前後に開口する枠状の装飾部材２６が嵌め込まれるようにして着脱自在に配設される。そして、前記裏ユニット１９の開口部１９ａから臨む前記図柄表示装置１３の表示部は、装飾部材２６における前後に開口する窓口２６ａを介して透明板１８(遊技盤１７)の前側に露出して、該図柄表示装置１３の表示部で展開される図柄変動演出を前側から視認し得るようになっている。すなわち、当該遊技盤１７において装飾部材２６の窓口２６ａ内が、図柄表示装置１３の表示部を前側から視認可能とする可視部となる。
【００２２】
前記装飾部材２６には、上縁部から左右両縁部に亘り、透明板１８の前面より前方に突出する円弧状の庇状部２６ｂが設けられており、前記遊技領域１８ａに打ち出されたパチンコ球を外周部の庇状部２６ｂで案内し得ると共に、該パチンコ球が装飾部材２６の窓口２６ａを横切って流下するのを庇状部２６ｂで規制している。また装飾部材２６には、図２に示す如く、窓口２６ａの下側に、ステージ２７が配設されると共に、窓口２６ａの左側に、遊技領域１８ａに開口して該遊技領域１８ａを流下するパチンコ球を取込んでステージ２７に案内する球通路部２８が設けられ、該球通路部２８からステージ２７に通出されたパチンコ球は、ステージ２７上を左右に転動した後に、前記各入賞装置２３,２４,２５が配設されている遊技領域１８ａに排出される。
【００２３】
前記装飾部材２６には、図２に示す如く、窓口２６ａにおける上部に上可動演出装置２９が配設され、該上可動演出装置２９は、駆動手段によって上可動体２９ａが、前記図柄表示装置１３における表示部の前側に臨む作動位置と該表示部の前側から退避する待機位置との間を移動するよう構成される。また、装飾部材２６の右下部に右下可動演出装置３０が配設されており、該右下可動演出装置３０は、駆動手段によって右下可動体３０ａが回転されて演出を行なうよう構成される。なお、上可動体２９ａおよび右下可動体３０ａは、何れも内部に発光装置を備え、動作による演出のみならず発光によっても演出し得るようになっている。
【００２４】
(裏ユニットについて)
前記裏ユニット１９は、図６に示すように、前方に開口する矩形箱状に形成された箱状本体３１と、該箱状本体３１の開口前端部に形成されて当該箱状本体３１の開口外側へ延出し、前記透明板１８の裏面に当接する取付部３２とから構成される。箱状本体３１は、前記透明板１８に対向する矩形板状に形成された対向面部３３と、該対向面部３３における上下左右の各縁部から前方に延出する画壁部３４とから前方に開口するよう形成されて、画壁部３４の前端部から箱状本体３１の開口外側へ向けて延出するよう前記取付部３２が形成されている。そして、取付部３２の前面を透明板１８の裏面に当接した状態で、ネジを介して透明板１８に裏ユニット１９が着脱自在に固定される。また対向面部３３に、上下および左右幅の大部分が開口する大型の前記開口部１９ａが形成されている。
【００２５】
前記透明板１８の裏側に裏ユニット１９を取付けた状態で、該裏ユニット１９の対向面部３３と透明板１８との間に所要の空間が画成され、前記対向面部３３に設けられる前記可動演出装置３５,３６,３７や発光装置等が該空間に臨むよう構成される。実施例では、図７に示す如く、下側の対向面部３３に下可動演出装置３５が配設され、左側の対向面部３３に左可動演出装置３６が配設され、右側の対向面部３３に右可動演出装置３７が配設される。下可動演出装置３５は、駆動手段によって一対の下可動体３５ａ,３５ａが、前記図柄表示装置１３における表示部の前側に臨む作動位置と該表示部の前側から退避する待機位置との間を移動するよう構成される。また、右可動演出装置３７は、駆動手段によって右可動体３７ａが、図柄表示装置１３における表示部の前側に臨む作動位置と該表示部の前側から退避する待機位置との間を移動するよう構成される。更に、左可動演出装置３６は、駆動手段によって左可動体３６ａが、図柄表示装置１３における表示部の前側を斜め上下方向に移動するよう構成される。なお、下可動体３５ａ,３５ａおよび右可動体３７ａは、何れも作動位置において対応する窓口２６ａの端縁部(下端縁部および右端縁部)から図柄表示装置１３における表示部の中央まで延出する大型のものであり、両可動体３５ａ,３７ａは、作動位置において相互に干渉しないように移動経路が前後に離間するよう設定される。また右可動体３７ａは、前記装飾部材２６に配設された前記上可動体２９ａおよび右下可動体３０ａに対しても移動経路が前後(後側)に離間するよう設定されて、上可動体２９ａおよび右下可動体３０ａと干渉しないよう構成してある。
【００２６】
前記裏ユニット１９の裏面には、図６に示す如く、前記開口部１９ａを囲繞するように装着部３８が設けられ、該装着部３８に、前記図柄表示装置１３が表示部を開口部１９ａに臨ませるように後側から取付けられる。この装着部３８には、図柄表示装置１３の下端縁および左端縁(図６では右側)を位置決めする突条３８ａが設けられ、下側の突条３８ａより下方の対向面部３３の裏面に、中継基板設置部３９が設けられる。また、装着部３８における左側端縁に設けられる突条３８ａに、右方(開口部１９ａ側)に開口する差込み受部４０が上下方向に離間して２箇所に設けられると共に、該装着部３８における右側端縁に、上下方向に離間して一対の固定受部４１,４１が設けられ、図柄表示装置１３の左端縁に設けられた差込片４６ａ,４６ａ(後述)を対応する差込み受部４０,４０に差込むと共に、該図柄表示装置１３の右端縁に設けた固定部４６ｂ,４６ｂ(後述)を対応する固定受部４１,４１に当接した状態で、固定手段４７,４７を介して図柄表示装置１３を装着部３８に着脱自在に固定するよう構成される。
【００２７】
前記裏ユニット１９における下側の対向面部３３の裏面には、図３,図６に示す如く、複数の前記中継基板設置部３９が左右方向に離間して設けられ、各中継基板設置部３９には、複数のコネクタ接続部が設けられた中継基板４２が着脱自在に取付けられて、該中継基板４２に設けたコネクタ接続部に対して、前記可動演出装置２９,３０,３５,３６,３７や発光装置等の電気部品に接続した配線および後述する統括制御装置６２に接続した配線の夫々がコネクタ接続されて、各電気部品が統括制御装置６２に電気的に接続されるようになっている。また、前記主制御装置に接続した配線も中継基板４２に接続されて、該主制御装置と統括制御装置６２とは電気的に接続される。
【００２８】
(図柄表示装置について)
前記図柄表示装置１３は、図８〜図１０に示す如く、各種図柄を表示可能な液晶パネル(表示手段)４３がケース４４に収容されたユニットとして構成される。ケース４４は、前方へ開口する矩形箱状に形成されて前記液晶パネル４３の背面および外周を囲繞するケース本体４５と、該ケース本体４５の開口前縁に組付けられ、該液晶パネル４３の前面側外周縁に当接する矩形枠状に形成された前カバー体４６とから構成され、ケース本体４５に前カバー体４６を組付けることで内部画成される表示用空間Ｓ１に液晶パネル４３が収容されるようになっている。
【００２９】
前記前カバー体４６(ケース４４)には、図８に示すように、裏ユニット１９(遊技盤１７)の左側面(左右の一方側面で図８では右側)に、側方(左側面から離間する方向)へ突出する板状の差込片４６ａが上下に離間する２箇所に設けられている。両差込片４６ａ,４６ａは、前記裏ユニット１９に設けられた前記差込み受部４０,４０に挿脱自在に差込まれて係止されるよう構成される。また、前記前カバー体４６(ケース４４)における右側面(左右の他方側面で図８では左側)の上下端部に、側方(右側面から離間する方向)へ突出する固定部４６ｂが夫々形成されており、前記裏ユニット１９に設けられた前記固定受部４１,４１に対応する固定部４６ｂ,４６ｂが後側から当接し得るよう構成される。各固定部４６ｂには固定手段４７が取付けられており、該固定手段４７を介して固定部４６ｂを固定受部４１に固定することで、図柄表示装置１３が裏ユニット１９の装着部３８に位置決め固定されるようになっている。
【００３０】
(基板収容部について)
前記ケース４４の右側縁部には、図８に示す如く、前記固定部４６ｂ,４６ｂの間に臨む部位に基板収容部４８が設けられ、該基板収容部４８に、液晶パネル４３のバックライトに電力を供給すると共に制御するインバータ基板(他の基板)４９が収容されている。基板収容部４８は、図１０に示す如く、前記前カバー体４６の右側面から側方に延出する前受部５０と、該前受部５０および前記ケース本体４５に対して着脱自在に配設されて前受部５０との間に基板用空間Ｓ２を画成する後ケース体５１と、該基板用空間Ｓ２内に収容状態で設置されてインバータ基板４９を係合保持する固定板５２とを備える。インバータ基板４９は、図９または図１４に示す如く、矩形状に形成されて、長手方向が上下方向で短手方向が前後方向に略沿う(板厚方向が前後方向と交差する左右方向に沿う)縦置き姿勢で基板用空間Ｓ２に収容される。またインバータ基板４９は、前記表示用空間Ｓ１とは反対側を向く面を実装面として、該実装面に各種の電子部品が実装される。
【００３１】
(前受部について)
前記前受部５０は、図１１に示す如く、前カバー体４６の右側面における前端縁から側方に延出する前壁５０ａと、該前壁５０ａの延出端から後方に延出する側壁５０ｂとから構成されて、前壁５０ａと側壁５０ｂおよび前カバー体４６の右側面とで画成される基板用空間Ｓ２の前側部分が、前記表示用空間Ｓ１と左右方向(前後方向と交差する方向)で重なるようになっている。前受部５０には、前記後ケース体５１に設けられる後述の位置決め突部５５が嵌挿可能な後側に開口する位置決め孔５０ｃが、側壁５０ｂの上下端部および中間位置の複数箇所に設けられている(図１２参照)。また側壁５０ｂの内面(基板用空間側)には、上下方向に離間して一対の固定爪５０ｄ,５０ｄが設けられ、該固定爪５０ｄに前記固定板５２の支持板５４(後述)が係脱自在に係止されるようになっている。なお、基板収容部４８の外端(表示用空間Ｓ１から離間する端)となる側壁５０ｂは、前記固定部４６ｂより側方に突出しないように設定される。
【００３２】
前記ケース本体４５および前カバー体４６における右端縁側の裏面には、前記後ケース体５１に設けられる複数の固定用通孔５６ａ(後述)に対応する位置にネジ孔４４ａが夫々形成されている(図１２参照)。また、ケース本体４５における右端縁には、前記固定板５２に設けられる一対の係止フック５３ｂ,５３ｂ(後述)が係脱自在に係止される一対の係止片４５ａ,４５ａが上下方向に離間して設けられている。なお、ケース本体４５における右端縁側の裏面には、上下端部側において前側に凹む凹部４５ｂが夫々形成されて、各凹部４５ｂに後ケース体５１の対応する脚部５９が嵌合するよう構成される。
【００３３】
(固定板について)
前記固定板５２は、図１１,図１３〜図１５に示す如く、矩形板状に形成された本体板５３と、該本体板５３における一方の長手辺である前端に内角が鈍角となるように形成されて側方に延出する支持板５４とから略Ｌ字状に形成されている。なお、固定板５２は、本体板５３における支持板５４が延出する側の面(以後、内面と称す)とは反対側の面(以後、外面と称す)が表示用空間Ｓ１側を向き、かつ短手方向が前後方向を向く姿勢で基板用空間Ｓ２に収容されるようになっている。また固定板５２の支持板５４に、前記インバータ基板４９における前端縁に係脱自在に係合する弾性変形可能な第１の係合部５４ａが設けられると共に、本体板５３における内面の後端部に、インバータ基板４９における後端縁に係脱自在に係合する第２の係合部５３ａが設けられ、インバータ基板４９の後端縁を第２の係合部５３ａに係合したもとで、該インバータ基板４９の前端縁を第１の係合部５４ａに係合することで、インバータ基板４９は、本体板５３の内面に実装面とは反対側の反実装面を対向した状態で固定板５２に係合保持される(図１７参照)。
【００３４】
前記固定板５２における本体板５３の外面には、図１５に示す如く、上下方向に離間して一対の係止フック５３ｂ,５３ｂが突設されている。そして、前記前受部５０の固定爪５０ｄ,５０ｄに支持板５４の延出端を係合するよう該前受部５０の前壁５０ａに支持板５４を当接すると共に、係止フック５３ｂ,５３ｂをケース本体４５の係止片４５ａ,４５ａに係止することで、当該固定板５２は、前端部が前受部５０内に収容された状態で位置決め固定される。このとき、固定板５２は、本体板５３に対して支持板５４が内角を鈍角となるよう形成してあることから、該支持板５４を前受部５０の前壁５０ａに当接した状態では、図１１に示す如く、本体板５３は後方に向かうにつれて表示用空間Ｓ１側(液晶パネル４３側)に傾斜する姿勢となる。すなわち、本体板５３に沿って配設される前記インバータ基板４９についても、その短手方向が表示用空間Ｓ１側(液晶パネル４３側)に対して傾斜する姿勢となって、当該インバータ基板４９のケース本体裏面からの突出寸法を小さく抑え得るようになっている。なお、固定板５２の支持板５４には、前受部５０の側壁５０ｂにおける上下方向の中間位置に設けた前記位置決め孔５０ｃが形成されるボス部５０ｅに対応する位置に嵌凹部５４ｂが夫々設けられ、各嵌凹部５４ｂを対応するボス部５０ｅに嵌合することでも固定板５２の前受部５０に対する位置決めがなされるよう構成してある。
【００３５】
(後ケース体について)
前記後ケース体５１は、図１３,図１７,図１８に示す如く、前側に開口する箱状に形成されて、その開口前面の複数箇所に前方に突出する位置決め突部５５が突設されている。また、後ケース体５１におけるケース本体側に臨む内側壁５１ａの前端に、ケース本体側に延出する延出部５６が上下方向に離間して設けられると共に、後ケース体５１における上下の壁の前端に、上下方向に延出する延出部５６が夫々設けられる。各延出部５６には、固定用通孔５６ａが形成されている。そして、各位置決め突部５５を、前記前受部５０の対応する前記位置決め孔５０ｃに後側から嵌挿して位置決めすると共に、各延出部５６をケース本体４５および前カバー体４６の裏面に当接した状態で、各固定用通孔５６ａに後側から挿通したネジをケース本体４５および前カバー体４６の対応するネジ孔４４ａに螺挿することで、後ケース体５１が前受部５０との間に基板用空間Ｓ２を画成した状態で位置決め固定される。
【００３６】
前記後ケース体５１の内面には、図１６および図１８に示す如く、基板用空間Ｓ２に収容された前記固定板５２における本体板５３の上下端部に係合して上下方向の位置決めを行なう第１位置決め片５７,５７と、該本体板５３の後端部に嵌合して後方および左右方向の位置決めを行なう第２位置決め片５８,５８とが設けられている。また後ケース体５１には、前記内側壁５１ａからケース本体側に延出する脚部５９が上下に離間して設けられ、各脚部５９が、ケース本体４５に形成された前記凹部４５ｂに嵌合されて位置決めされると共に、凹部４５ｂと脚部５９との間に基板用空間Ｓ２に連通する配線用空間を画成するよう構成される。この配線用空間には、インバータ基板４９と液晶パネル４３とを接続する配線の余裕部分が収容されて、該配線がケース４４の外部に露出することがないようになっている。なお、凹部４５ｂに脚部５９を嵌合した状態で該脚部５９の後端は、後述する設置部６９の後端より後方に突出しないよう設定される。
【００３７】
前記後ケース体５１におけるケース本体側とは反対側の外側壁５１ｂは、図１７等に示す如く、基板用空間Ｓ２に収容されるインバータ基板４９の姿勢に略倣うように前側から後側に向かうにつれてケース本体側に傾斜するよう形成されて、ケース４４の裏面より後側での基板収容部４８の側方への突出寸法を抑制し得るよう構成してある(図４,図１０参照)。また、後ケース体５１(基板収容部４８)におけるケース本体４５の裏面からの突出寸法は、図４,図５に示す如く、ケース本体４５の裏面に配設される表示制御装置６１のケース本体４５後面からの突出寸法と略同一に設定される。
【００３８】
(設置部について)
前記ケース本体４５(ケース４４)の裏面には、該裏面から一段後方へ突出する設置部６０が形成され、該設置部６０に、液晶パネル４３の表示を制御する基板を備える表示制御装置６１および表示制御装置６１に演出用の制御信号を出力する基板を備える統括制御装置(演出用制御装置)６２が左右方向に並べて着脱自在に配設される。なお、統括制御装置６２は、前述したように前記可動演出装置２９,３０,３５,３６,３７や各発光装置等のパチンコ機１０に配設される各種電気部品の制御も行なうものである。実施例では、図４および図１０に示す如く、前記基板収容部４８が設けられる右側縁部から離間する左側縁部側に表示制御装置６１が配設され、該表示制御装置６１と基板収容部４８との間の設置部６０に統括制御装置６２が配設されている。そして、統括制御装置６２の制御信号に基づいて表示制御装置６１が制御を実行して液晶パネル４３の表示部で図柄変動ゲームが行なわれると共に、各可動演出装置２９,３０,３５,３６,３７や各種発光装置が駆動または発光制御される。
【００３９】
前記表示制御装置６１および統括制御装置６２は、対応する電気部品を制御するための各種電子部品が実装された基板をケースに収容してユニットとして扱い得るよう構成されている。実施例では、統括制御装置６２に対して表示制御装置６１の前後寸法が大きく設定されて、該表示制御装置６１の後端が、前記基板収容部４８の後端と略同一面上に臨むようになっている(図４,図５参照)。すなわち、基板収容部４８に収容されているインバータ基板４９は、前記ケース４４の裏面から後方に突出する部分が、前記設置部６０に取付けられた表示制御装置６１や統括制御装置６２に対して前後方向と交差する左右方向で重なっている。
【００４０】
前記ケース本体４５の裏面における設置部６０には、左右方向の全長に亘って後方および左右方向に開放する溝部６０ａ(図８参照)が形成されて、設置部６０に前記統括制御装置６２や表示制御装置６１を配設した状態で、そのケース前面側に配線用の引回し空間が画成されるようにしてある。そして、前記基板収容部４８に収容されているインバータ基板４９に一端が接続される配線６３は、溝部６０ａ内を統括制御装置６２の前側を引き回された後に、前記表示制御装置６１の基板に他端が接続されるよう構成される。
【００４１】
〔実施例の作用〕
次に、前述した実施例に係るパチンコ機の作用につき説明する。
【００４２】
前記遊技領域１８ａに打ち出されたパチンコ球は、前記装飾部材２６の外周囲を流下し、該パチンコ球が前記球通路部２８に通入すると、該パチンコ球は前記ステージ２７に通出され、該ステージ２７を左右に転動した後に遊技領域１８ａに排出され、このパチンコ球は始動入賞装置２３や普通入賞装置２５等に入賞可能となる。そして、始動入賞装置２３にパチンコ球が入賞すると、前記統括制御装置６２からの制御信号に基づいて前記表示制御装置６１により制御される前記図柄表示装置１３の図柄が変動開始され、所要の図柄組合わせゲームが展開される。そして、前記図柄表示装置１３で展開される図柄変動ゲームの結果、図柄表示装置１３に所定の図柄組合わせで図柄が停止表示されたときに、前記特別入賞装置２４が入賞口を開放して所謂大当りが発生し、多数の賞球の獲得が可能となる。
【００４３】
また、前記図柄表示装置１３で展開される図柄変動ゲームの演出に応じて、前記可動演出装置２９,３０,３５,３６,３７が、統括制御装置６２により作動制御されて、各可動体２９ａ,３０ａ,３５ａ,３６ａ,３７ａが作動されて動的な演出により遊技の興趣が高められる。また、遊技盤１７に配設されている各種発光装置等も、図柄変動ゲームの演出に応じて統括制御装置６２からの制御信号に基づいて発光制御されて、発光による演出により遊技の興趣が向上される。なお、前記装飾部材２６や裏ユニット１９に配設された各可動演出装置２９,３５,３６,３７は、夫々の可動体２９ａ,３５ａ,３６ａ,３７ａの移動経路が前後に離間して相互に干渉しないよう構成してあるから、複数の可動体２９ａ,３５ａ,３６ａ,３７ａを同時または所定の組合わせで図柄表示装置１３における表示部の前側を移動させることで、インパクトのある演出がなされ、遊技の興趣が向上する。
【００４４】
前記裏ユニット１９の装着部３８に取付けられている図柄表示装置１３では、液晶パネル４３が収容されているケース４４の右側縁部に基板収容部４８が設けられ、該基板収容部４８に、前記インバータ基板４９が縦置き姿勢で収容されている。すなわち、従来図柄表示装置１３の裏面(ケース裏面)に取付けられていたインバータ装置(インバータ基板をケースに収容したもの)をケース４４の右側縁部に配置することで、ケース裏面におけるその他の装置を配設するためのスペースを広く取ることが可能となった。従って、表示制御装置６１および統括制御装置６２を前後に重ね合わせることなく、図３および図４に示す如く、図柄表示装置１３の裏面(ケース裏面)に表示制御装置６１と統括制御装置６２とを左右方向に並べて取付けることができ、複数の制御装置を前後に重ね合わせた場合に比べて、図柄表示装置１３の裏側に必要となる前後寸法を小さく抑えることができる。すなわち、パチンコ機全体の前後寸法を変えない条件においては、図柄表示装置１３の裏側に必要となる前後方向の寸法を小さく抑えることができる分(前後寸法が小さい統括制御装置６２の前後寸法分)だけ、図柄表示装置１３における表示部の前側に寸法的な余裕ができ、実施例のように表示部の前側を移動する可動体２９ａ,３５ａ,３６ａ,３７ａを備える可動演出装置２９,３５,３６,３７を複数配設することができ、インパクトのある演出が可能となる。
【００４５】
また、前記基板収容部４８に内部画成される基板用空間Ｓ２の前部は、図１０および図１１に示す如く、ケース４４に内部画成されて液晶パネル４３が収容される表示用空間Ｓ１と左右方向に重なるように構成されて、該基板用空間Ｓ２に収容されるインバータ基板４９の前端部も表示用空間Ｓ１に左右方向で重なっている。従って、インバータ基板４９は、短手方向において表示用空間Ｓ１と左右方向に重なる分だけ、基板後端のケース裏面から後方への突出寸法を短かくすることができ、基板収容部４８のために図柄表示装置１３の裏側に必要となる前後寸法を小さく抑えることができる。
【００４６】
更に、前記基板収容部４８に収容されるインバータ基板４９を、図１０または図１１に示す如く、前側から後側に向かうにつれて表示用空間Ｓ１側に傾斜する姿勢となるように固定板５２で係合保持するよう構成したから、基板収容部４８の後方への突出寸法をより抑制することができる。そして、実施例では、基板収容部４８の後端(後ケース体５１の後端)を、前記ケース４４の設置部６０に取付けられている内で前後方向の寸法が大きい方の表示制御装置６１の後端と略同一位置に臨むよう構成でき(図４,図５参照)、基板収容部４８が表示制御装置６１より後方に突出することで、図柄表示装置１３の裏側に必要となる前後寸法が大きくなることはない。言い替えるなら、図柄表示装置１３の裏側に必要となる前後寸法は、該図柄表示装置１３に配設される制御装置の内で最大の前後寸法を有する表示制御装置６１の前後寸法で足りることになる。
【００４７】
前記基板収容部４８に収容されているインバータ基板４９と、前記表示制御装置６１の基板とを接続する配線６３は、図８に示す如く、前記ケース４４の裏面における設置部６０に形成した溝部６０ａ内を引き回されている。すなわち、基板収容部４８と表示制御装置６１との間の設置部６０に取付けられる前記統括制御装置６２が、配線６３をケース４４との間で挟み込むのを防止するために統括制御装置６２とケース裏面とを離間させる必要はなく、該統括制御装置６２の後方への突出寸法を小さくし得る。また、前記配線６３を引き回す領域を、統括制御装置６２の設置領域外に確保する必要がないから、ケース４４の裏面のスペースを有効に利用し得る。更に、統括制御装置６２をケース４４に着脱する際に配線６３を引っ掛けることを防止し得ると共に、統括制御装置６２を設置部６０に取付けた状態では配線６３の後側は該統括制御装置６２で覆われるから該配線６３を保護することができる。また、基板収容部４８と表示制御装置６１との間の設置部６０に統括制御装置６２を取付ける構成により、該統括制御装置６２をケース４４に着脱する際に両側の基板収容部４８および表示制御装置６１で案内することができ、着脱作業が容易となる。
【００４８】
なお、実施例では前記基板収容部４８に収容されたインバータ基板４９と液晶パネル４３とを接続する配線の余裕部分を、前記後ケース体５１の脚部５９とケース本体４５の凹部４５ｂとの間に画成される配線用空間に収容するよう構成したから、該配線の余裕部分を保護し得る。また、凹部４５ｂに嵌合した脚部５９の後端は、前記設置部６９の後端より後方に突出しないよう設定されているから、該脚部５９の後側も制御装置等の設置領域として利用することが可能となり、ケース裏面のスペースを有効に利用することができる。
【００４９】
前記基板収容部４８は、図柄表示装置１３を裏ユニット１９に固定するために設けられた固定部４６ｂ,４６ｂの間において、該固定部４６ｂ,４６ｂより外側方に突出しないように設けてあるから、該基板収容部４８を設けることでケース４４の外側方への寸法が増大することはない。すなわち、ケース４４に基板収容部４８を設けた実施例の図柄表示装置１３の左右方向の寸法は、従来のケースを用いた図柄表示装置の左右方向の寸法と変わらず、図柄表示装置１３を裏ユニット１９に取付けるための構成を変更することなく対応し得る。また、基板収容部４８を構成する前記後ケース体５１における外側壁５１ｂを、前記インバータ基板４９の傾斜姿勢に合わせて前側から後側に向かうにつれて表示用空間Ｓ１側に傾斜させたことで、ケース４４の裏面より後側での基板収容部４８の外側方への突出寸法をより抑制することができる。
【００５０】
ここで、前記表示制御装置６１や統括制御装置６２を構成するケースは、収容されている基板に実装された電子部品が正規品であるか否かを外部から確認するために透明に形成されている。この場合に、実施例のように図柄表示装置１３の裏面に制御装置６１,６２を前後に重ね合わせない構成であれば、外枠１１に対して中枠１２を開放した状態で、何れの制御装置６１,６２も取外すことなく両制御装置６１,６２の内部を目視により確認することができ、確認作業が容易となる利点もある。
【００５１】
(変更例)
本願は前述した実施例の構成に限定されるものではなく、その他の構成を適宜に採用することができる。
(1) 実施例では、透明板に形成した前後に貫通する貫通孔に配設した枠状の装飾部材の窓口内を、図柄表示装置の表示部を前側に臨ませる可視部としたが、貫通孔を設けることなく透明板自体(可視部)を透かして図柄表示装置の表示部を前側から視認可能とする構成を採用し得る。
(2) 実施例では、遊技盤を透明板と裏ユニットとから構成したが、木製の板部材と裏ユニットとから構成したものであってもよい。
(3) 実施例では、図柄表示装置におけるケースの右側縁部に基板収容部を設けたが、該基板収容部は、ケースの左側縁部または上下何れかの縁部に設ける構成を採用することができる。ケースの上または下の縁部に基板収容部を設ける場合は、インバータ基板は、長手方向が左右方向に沿うと共に、板厚方向が前後方向と交差する上下方向に向く姿勢で配置される。
(4) 実施例では、インバータ基板を斜傾姿勢で基板収容部に収容するようにしたが、インバータ基板を、短手方向が液晶パネルの裏面に対して直交する直角姿勢で基板収容部に収容される構成であってもよく、該インバータ基板の前部が表示用空間と左右または上下方向で重なるようにすれば、その重なった分だけはケースの裏面からのインバータ基板(基板収容部)の突出寸法を小さくでき、図柄表示装置の裏側に必要となる前後寸法の削減に寄与し得る。
(5) 実施例では、固定板を介して基板収容部にインバータ基板を収容保持するよう構成したが、固定板を省略し、後ケース体の内部に直にインバータ基板を係合保持させる構成を採用することができる。
(6) 表示手段としては、液晶パネルに限られるものではなく、ドットマトリックス型の表示手段、有機ＥＬディスプレイやプラズマディスプレイ等、その他公知の各種表示手段を採用し得る。
(7) 基板収容部に収容する基板は、インバータ基板に限られるものではなく、図柄表示装置やその他の装置を制御する他の基板であってもよい。
(8) 実施例では、ケース本体の裏面における左右方向の全長に亘って溝部を形成したが、溝部は、少なくとも基板収容部が設けられる縁部から統括制御装置の設置領域を越える位置までに亘って形成されて、基板収容部に収容したインバータ基板に一端が接続する配線を統括制御装置の一側方において溝部に引き込み得ると共に、統括制御装置の他側方において溝部から配線を引き出して表示制御装置の基板に接続し得るようになっていればよい。
(9) 遊技機としては、パチンコ機に限られるものではなく、アレンジボール機やパチンコ球を用いたスロットマシン等、その他各種の遊技機であってもよい。
【符号の説明】
【００５２】
１３  図柄表示装置
１７  遊技盤
１８ａ  遊技領域
２６ａ  窓口(可視部)
４３  液晶パネル(表示手段)
４４  ケース
４６ｂ  固定部
４８  基板収容部
４９  インバータ基板(他の基板)
５２  固定板
５３ａ  第２の係合部
５４ａ  第１の係合部
６０  設置部
６０ａ  溝部
６１  表示制御装置(基板を備える装置)
６２  統括制御装置(演出用制御送置，基板を備える装置)
６３  配線
Ｓ１  表示用空間
【図１】
2011104290.tif 000003
【図２】
2011104290.tif 000004
【図３】
2011104290.tif 000005
【図４】
2011104290.tif 000006
【図５】
2011104290.tif 000007
【図６】
2011104290.tif 000008
【図７】
2011104290.tif 000009
【図８】
2011104290.tif 000010
【図９】
2011104290.tif 000011
【図１０】
2011104290.tif 000012
【図１１】
2011104290.tif 000013
【図１２】
2011104290.tif 000014
【図１３】
2011104290.tif 000015
【図１４】
2011104290.tif 000016
【図１５】
2011104290.tif 000017
【図１６】
2011104290.tif 000018
【図１７】
2011104290.tif 000019
【図１８】
2011104290.tif 000020